(57)【要約】【課題】低コストでしかも占有スペース増大を招くことなく斬新なイルミネーション効果を演出するイルミネーション装置を実現する。【解決手段】紫外線を発光する基板ＰＷＢ上のＬＥＤ１０を、所定の間隙を隔てて覆うパネル１１を設ける。パネル１１は、ＬＥＤ１０から発光される紫外線により励起されて可視領域の蛍光色で発光する蛍光体を練り込み成型した光透過性樹脂で形成される。パネル１１の表面には、基板ＰＷＢに実装された各種電子部品を外側から見えなくする遮光印刷が施される。この遮光印刷はパネル１１の表面にのみ施され、パネル周囲の端面には施されない。パネル１１はＬＥＤ１０の照光に応じて蛍光色で２次発光し、内部を通ってパネル周囲の端部へ導光される。パネル１１の周囲端面が導光により光る蛍光色イルミネーションは、ＬＥＤの直接照光とは異なり、端面全体が一様に光る斬新なイルミネーション効果を演出できる。【選択図】図２
2012174749.tif 000002
【特許請求の範囲】
【請求項１】
基板上に配置され、紫外線を発光する発光素子と、
前記基板を覆うように対向配置され、前記発光素子から発光される紫外線により励起されて可視光を発光する２次発光体と
を具備することを特徴とするイルミネーション装置。
【請求項２】
前記２次発光体は、紫外線により励起されて可視領域の蛍光色で発光する蛍光体を含有する光透過性樹脂材で形成されることを特徴とする請求項１記載のイルミネーション装置。
【請求項３】
前記２次発光体は、表面側に遮光加飾が施され、裏面側に受ける前記発光素子からの紫外線の照光に応じて２次発光する蛍光色の光を、内部を介して遮光加飾が施されない周囲端面へ導光することを特徴とする請求項１記載のイルミネーション装置。
【請求項４】
前記２次発光体は、遮光性加飾が施された上部パネルと、紫外線により励起されて可視領域の蛍光色で発光する蛍光体を含有する光透過性樹脂材で形成される下部パネル１３とを所定の間隙を隔てて重ねた構造を有することを特徴とする請求項１記載のイルミネーション装置。
【発明の詳細な説明】
【技術分野】
【０００１】
本発明は、携帯端末などの電子機器の照明に用いて好適なイルミネーション装置に関する。
【背景技術】
【０００２】
従来から、例えば携帯端末などの電子機器では、着信時に点滅してその旨を通知したり、通話時に筐体パネルの一部分を多彩な色彩で発光表示させたりする等のイルミーネーション効果を演出する装置を搭載することが多い。
【０００３】
図７は、従来のイルミネーション装置の概略構造を示す断面図である。この図に示すイルミネーション装置は、基板１５上に搭載された３色ＬＥＤ１６と、当該３色ＬＥＤ１６に対向配置されるパネル１７とを備える。光透過性樹脂で形成されるパネル１７の裏面層１８には、蒸着もしくは乳白色印刷等の、内部構成の目隠しと光透過とを両立させる加飾が施されることによってイルミーネーション効果を演出するようになっている。なお、この種の装置については例えば特許文献１に開示されている。
【先行技術文献】
【特許文献】
【０００４】
【特許文献１】特開２００９−７５６１２号公報
【発明の概要】
【発明が解決しようとする課題】
【０００５】
ところで、図７に図示した従来のイルミネーション装置には、次のような弊害がある。
（１）光源に三色ＬＥＤを用いている為、斬新なイルミネーション効果を実現することが出来ない。
（２）図８に図示するように、パネル１７の直下に光源（三色ＬＥＤ１６）を配置する為、光源近傍では強く光り、逆に光源から離れた箇所には光が届き難い為に照光ムラが発生し易く、その照光ムラの対策が別途必要になることが多い。
（３）照光ムラの対策には、光源（三色ＬＥＤ１６）を多数配置したり、導光板等の専用部品が必要になる等、コスト高や占有スペース増大といったデメリットが生じる。
すなわち、以上を換言すると、従来のイルミネーション装置では、低コストでしかも占有スペース増大を招くことなく斬新なイルミネーション効果を実現することが出来ない、という問題がある。
【０００６】
本発明は、このような事情に鑑みてなされたもので、低コストでしかも占有スペース増大を招くことなく斬新なイルミネーション効果を実現することができるイルミネーション装置を提供することを目的としている。
【課題を解決するための手段】
【０００７】
上記目的を達成するため、請求項１に記載の発明では、基板上に配置され、紫外線を発光する発光素子と、前記基板を覆うように対向配置され、前記発光素子から発光される紫外線により励起されて可視光を発光する２次発光体とを具備することを特徴とする。
【０００８】
上記請求項１に従属する請求項２に記載の発明では、前記２次発光体は、紫外線により励起されて可視領域の蛍光色で発光する蛍光体を含有する光透過性樹脂材で形成されることを特徴とする。
【０００９】
上記請求項１に従属する請求項３に記載の発明では、前記２次発光体は、表面側に遮光加飾が施され、裏面側に受ける前記発光素子からの紫外線の照光に応じて２次発光する蛍光色の光を、内部を介して遮光加飾が施されない周囲端面へ導光することを特徴とする。
【００１０】
上記請求項１に従属する請求項４に記載の発明では、前記２次発光体は、遮光性加飾が施された上部パネルと、紫外線により励起されて可視領域の蛍光色で発光する蛍光体を含有する光透過性樹脂材で形成される下部パネル１３とを所定の間隙を隔てて重ねた構造を有することを特徴とする。
【発明の効果】
【００１１】
本発明では、低コストでしかも占有スペース拡大を招致せずに斬新なイルミネーション効果を実現することができる。
【図面の簡単な説明】
【００１２】
【図１】実施の一形態によるイルミネーション装置の構造を示す平面図である。
【図２】実施の一形態によるイルミネーション装置の構造を示す断面図である。
【図３】実施の一形態によるイルミネーション装置の外観を示す側面図である。
【図４】パネル１１における蛍光体の吸収波長と放出波長との関係を示すスペクトル特性図である。
【図５】パネル１１の発光原理を説明するための図である。
【図６】変形例によるパネル構造を示す断面図である。
【図７】従来のイルミネーション装置の概略構造を示す断面図である。
【図８】従来例の弊害を説明するための図である。
【発明を実施するための形態】
【００１３】
以下、図面を参照して本発明の実施形態について説明する。図１〜図３は、実施の一形態として携帯端末に搭載されたイルミネーション装置の概略的構造を示す平面図、断面図および側面図である。図１において、携帯端末の筐体内に配設される基板ＰＷＢには、例えば窒化アルミニウム結晶を用いて紫外線を発光するＬＥＤ１０が複数設けられる。基板ＰＷＢ上のＬＥＤ１０の発光面側（上面側）には、図２に図示するように、所定の間隙を隔てて当該ＬＥＤ１０を覆うパネル１１が対向配置される。
【００１４】
パネル１１は、ＬＥＤ１０から発光される紫外線により励起されて可視領域の蛍光色で発光する蛍光体（例えば窒化物系蛍光体）を練り込み成型した光透過性樹脂で形成される。パネル１１の表面には、基板ＰＷＢに実装された各種電子部品を外側から見えなくして見栄えを損なわないようにする遮光性印刷が施される。この遮光性印刷はパネル１１の表面にのみ施され、パネル周囲の端面には施されない。
【００１５】
こうしたパネル１１の裏面が基板ＰＷＢ上のＬＥＤ１０から発光される紫外線により照光されると、図４に図示するように、パネル１１に含有される蛍光体が紫外線を吸収して可視領域の放出波長（蛍光）を発光する。つまり、パネル１１はＬＥＤ１０の照光に応じて蛍光色で２次発光する。２次発光された蛍光は、図５に図示する通り、パネル１１の内部からパネル周囲の端部へ導光される。一方、光源位置（ＬＥＤ１０の位置）に対応した局在的な２次発光成分は減衰が大きくしかも遮光印刷によりパネル１１の表面側に漏れない。
【００１６】
この結果、図３に図示するように、ハンチング部分ＩＰで示されるパネル１１の周囲端面がＬＥＤ１０の照光に応じて２次発光する蛍光色イルミネーションとなる。パネル１１の周囲端面が導光により光る蛍光色イルミネーションは、ＬＥＤによる直接照光とは異なり、端面全体が一様に光る為、斬新なイルミネーション効果を演出することが可能になる。
【００１７】
しかも、このような蛍光色イルミネーションでは、ほとんど照光ムラが生じない為に光源を多数配置したり導光板等の専用部品が必要になる等の照光ムラ対策が不要になり、結果的にコスト高や占有スペース増大といったデメリットを回避することができる。加えて、蛍光色イルミネーションは、ＬＥＤ１０の点灯に応じて即座に反応する為、その点灯・消灯のタイミングはＬＥＤ１０の点灯・消灯タイミングにほぼ等しく、換言すればＬＥＤと同等の照光制御性を有する。
【００１８】
なお、上述した実施形態では、パネル１１を単板としたが、これに限らず、図６に図示する変形例のように、パネル１１を上部パネル１２および下部パネル１３の２枚構成としても良い。すなわち、所定の曲率で湾曲する下部パネル１３上に、当該下部パネル１３と同一の曲率で湾曲し、一回りサイズの小さい上部パネル１２をスペーサＳＰを介在させて覆うように配置した構造を有する。
【００１９】
上部パネル１２の表面には、遮光性の加飾が施され、内部の基板ＰＷＢや基板ＰＷＢの実装部品が隠蔽されるように配慮されている。上部パネル１２は、樹脂パーツ以外の任意のパーツで構成してよい。下部パネル１３は、上述したパネル１１と同様、ＬＥＤ１０から発光される紫外線により励起されて可視領域の蛍光色で発光する蛍光体（例えば窒化物系蛍光体）を練り込み成型した光透過性樹脂で形成される。上部パネル１２より一回り大きい下部パネル１３では、上部パネル１２が重ねられた状態で周囲端面部１４が露出する。ＬＥＤ１０の照光に応じて蛍光色で２次発光する下部パネル１３では、その露出した周囲端面部１４が蛍光色イルミネーションとなる。
【００２０】
このように、遮光性加飾が施された上部パネル１２と蛍光体を練り込み成型した光透過性樹脂の下部パネル１３とをスペーサＳＰを介在させて重ねた構造によれば、下部パネル１３の両面に加飾を施さず、空気層を残すことで臨界角が大きくなり、全反射により２次発光の導光率を向上させるという効果も奏する。
【符号の説明】
【００２１】
１０  ＬＥＤ
１１  パネル
１２  上部パネル
１３  下部パネル
１４  周囲端面部
【図１】
2012174749.tif 000003
【図２】
2012174749.tif 000004
【図３】
2012174749.tif 000005
【図４】
2012174749.tif 000006
【図５】
2012174749.tif 000007
【図６】
2012174749.tif 000008
【図７】
2012174749.tif 000009
【図８】
2012174749.tif 000010